(57)【要約】【課題】生け花の花形を変えず、生け花を移動させたりすることなく、簡便に水の交換ができる花器と、その花器を支持するための飾り台と、を提供することを目的とする。【解決手段】花器１には、花器１内の水を排水するための柔軟性と弾力性を保有するホース４が連結されており、該ホース４には、花器１内の水の排水及び止水をするための栓部材７が着脱可能に備えてあることを特徴とする。【選択図】      図１
2004154343.tif 000002
【特許請求の範囲】
【請求項１】
花器（１）には、花器（１）内の水を排水するための柔軟性と弾力性を保有するホース（４）が連結されており、該ホース（４）には、花器（１）内の水の排水及び止水をするための栓部材（７）が着脱可能に備えてあることを特徴とする花器。
【請求項２】
前記花器（１）を載置し且つ支持するための天板（９）と、該天板（９）を支持する複数の支持脚（１０）と、該天板（９）と各支持脚（１０）により囲まれた空間部（１１）と、からなる飾り台（８）であって、該天板（９）には、前記花器（１）に連結されたホース（４）を空間部（１１）内に導くためのくり抜き部（１２）が形成されていることを特徴とする飾り台。
【請求項３】
前記くり抜き部（１２）は、花器（１）の底部分をくり抜き部（１２）の周縁で係止可能な大きさに形成されていることを特徴とする請求項２記載の飾り台。
【発明の詳細な説明】
【０００１】
【発明が属する技術分野】
本発明は、花瓶や水盤など花を生けるのに用いる花器と、その花器を支持するために用いる飾り台に関するものである。
【０００２】
【従来の技術】
花器に生けた生け花は、見る人の気分を和ませ、人の気持ちを優しくするとともに元気を与える作用を有している。この作用を長期間にわたって有効に発揮するためには、生け花がみずみずしい生気を持っていなければならない。この生気を保つためには、生け花を生けた花器内の水を少なくとも毎日欠かさず取り換えることが必要とされている。
【０００３】
しかしながら、これまで水交換作業の際、花瓶の口いっぱいに生け花を挿入してある場合など、生け花を一度花器外に取り出して、汚れた水を排水した後、新しい水を供給するという作業が厄介であるとともに、生け花の形を再度直す面倒さもあった。特に、水盤に剣山で生け花などを生けてある場合には、生け花と剣山と水盤を合わせるとかなり重く、水の入れ換えのための排水作業が大変に困難であり、従って多くの場合、減った水をやかん等を用いて補給するにとどまり、どうしても生け花を長持ちさせることに難点があった。
【０００４】
また、生け花は見る角度を計算し、全体の形を十分に考慮して作られるものであり、水交換のために動かしてしまうと、角度や形が変わり、作者の意図が失われ、作品本来の姿が変えられてしまったり、大きく重い生け花を無理に移動させることにより、生け花を傷めてしまう恐れもある。さらに、生け花を花器から抜いて挿し直すと見栄えが悪くなるという欠点もある。これまでの花器では、動かさずに水交換を行うのが非常に面倒であったため、数日間も放置してしまう結果、水中の枯れた葉や花びら、根や生け花が出す排泄物によって腐敗が起こり、悪臭を放ったり、養分が供給されずに生育障害が起こり、みずみずしい状態が維持できないなどの問題点があった。
さらに、室内に華やいだ雰囲気を醸し出す生け花は、それを生ける器及び器を支持する飾り台もそれに相応しいものであることが好ましい。
【０００５】
【発明が解決しようとする課題】
そこで、本発明は、生け花の花形を変えず、生け花を移動させたりすることなく、簡便に水の交換ができる花器と、その花器を支持するための飾り台と、を提供することを目的とする。
【０００６】
【課題を解決するための手段】
上記目的を解決するために、請求項１記載の発明は、花器には、花器内の水を排水するための柔軟性と弾力性を保有するホースが連結されており、該ホースには、花器内の水の排水及び止水をするための栓部材が着脱可能に備えてあることを特徴とする。このように構成すれば、生け花を生けた状態のまま、ホースに備えられた栓部材を開口し、古い水を排水した後に、ホースを閉口し、花器上面の口部から新しい水を注入すれば、生け花及び花器を移動させることなく容易に水交換を行うことができる。
【０００７】
ここで、花器としては、生け花を生けることが可能であれば、どの容器でも良く、花瓶や水盤、壺などが挙げられ、材質も問わないが、陶磁器、ガラス製、プラスチック製、木製、石製の加工品などを挙げることができる。花器とホースの連結箇所に関しては、特に限定しないが、花器を設置する際に妨げにならない箇所に備えることが望ましく、さらには、花器内の古い水の排水を効率的に行うために、花器の底、あるいは底面に沿う位置、つまり底面と同一面上に連結させることが望ましい。花器とホースの連結方法に関しては、固定式及び着脱可能式など特に問わないが、花器に水抜孔を形成し、該水抜孔よりも１５〜３０％大きな外径を有したホースを水抜孔内に弾力を利用して圧入し、ホースを水抜孔の内周壁に強固に固定する方法、水抜孔の内周壁にタケノコネジが形成されたホース取付部材を固着し、タケノコネジ部をホース内に嵌め込む方法、また、花器にジョイントを取付けホースと連結させる方法などを挙げることができる。この際、花器内の古い水を効率良く排水可能にするために、水抜孔内に圧入したホース、水抜孔内に固着した取付部材及びジョイントの先端部分は、花器の内面と面一にすることが望ましい。栓部材に関しては、花器内の水の排水及び止水を行うことが可能なものであれば特に問わないが、ホースの先端部分にコルクやキャップ等を嵌め込みホースを閉口し、外して開口できるようにしてもよいし、ホースの先端部分を折り曲げクリップ止めをすることでホースを閉口し、外して開口できるようにしてもよいし、また、ホースの一部をペンチ型のホース把持具で挟持し閉口し、緩めて開口できるようにしてもよい。ホースに関しては、柔軟性と弾力性を保有していれば特に問わないが、花器とホースの連結部分及び栓部材の備え付け部分には柔軟性と弾力性により優れたシリコン製のホースを使用することが望ましい。
【０００８】
請求項２記載の発明は、前記花器を載置し且つ支持するための天板と、該天板を支持する複数の支持脚と、該天板と各支持脚により囲まれた空間部と、からなる前記花器に使用する飾り台であって、該天板に、前記花器に連結されたホースを空間部内に導くためのくり抜き部を形成することによって、花器の載置状態が安定に保持されることはもちろんのこと、ホースを花器の底位置に連結させることが可能となり、生け花及び花器を動かすことなく花器内の古い水を容易且つ完全に排水することができるため、生け花のみずみずしい状態を長期間にわたって保つことができる。また、飾り台を豪華な感じのものにすることによって、花器に生けた生け花の華やかさと相まって、見栄えがより一層豪華なものとなり、商品価値も非常に高まる。
【０００９】
また、請求項３記載の発明のように、くり抜き部の形状を、花器の底部分がくり抜き部の周縁で係止可能な大きさに形成することによって、花器をより一層安定に飾り台に載置することが可能であるため、花器の不動状態を確実に保持することができるため、水交換作業中などにおいて、誤って花器を動かしてしまい、見栄えなどを損なうことを確実に防ぐことができる。
【００１０】
ここで、飾り台の形態に関しては、御膳台型やテーブル型等特に限定するものではなく、支持脚に関しても、三脚、四脚などの本数及びその長さなど特に問わず、床の間に設置する場合は、支持脚の短い御膳台型など、設置場所に相応した飾り台にすることが望ましい。また、その材質についても、木、陶磁器、金属、プラスチック、ガラス等、どのような材料で形成してもよく、さらに見栄えを良くするために模様や彩色を施してもよい。飾り台の空間部内に導かれたホースは、花器及び飾り台の体裁を良好にするために背面側に配置しておくことが望ましい。
【００１１】
花器内の水を排水するには、ホースの先端部分にバケツや洗面器等の排水を入れる容器を置くことで容易に排水できる。また、ホースを長いものにすることで、ホースの先端部分を花器の載置場所から離れたシンクや屋外等の排水場所に持っていくことが可能となり、花器を移動させることなく花器内の水を遠く離れた排水場所に排水することができる。この際、ホースは飾り台の空間部に収納しておくことも可能であり、見栄えが損なわれることを防ぐことができる。さらに、ホースを花器の載置場所から離れた排水場所まで這わせておけば、花器の水交換を行うたびにホースを離れた排水場所まで持っていく必要がなくなるため、花器を動かすことなくより一層容易に水交換作業を行うことができる。この場合、柔軟性と弾力性を保有するホースを使用しているため、生活面上でホースが邪魔になったり、危険物になる問題はない。長いホースを使用する場合は、花器とホースの連結部分及び栓部材を備え付ける部分のみにシリコン製のホースを使用し、他の部分にはビニール製のホース等を使用し低コスト化を図ることが望ましい。その際、２種類のホースは、ジョイントや両端にタケノコネジが形成された取付部材等で連結させればよい。
【００１２】
【発明の実施の形態】
以下、本発明の実施形態を図面に基づいて説明する。
【００１３】
図１（イ）（ロ）は、本発明の花器１を示すもので、図１（イ）は斜視図であり、図１（ロ）は、その断面図である。花器１は球状の形態をしており、上端は手が挿入可能な大きさに開口している花瓶型であり、その底部分は、花器１が安定に載置可能なように水平な底面２を形成し且つその部分が下方に少し突出するように形成してある。また、その底面２に厚みを持たせるために、プラスチックによって形成された底面２と同形の補強板３が固着してある。ここで、補強板３の材質に関しては、特にプラスチックに限定するものではなく、陶磁器、金属、木、ガラス等、どのような材料で形成してもよい。また、底面２自体の厚みを増すことにより、必ずしも底面２に補強板３を固着する必要もない。さらに、底面２には花器１内の水を排水するためのシリコンホース４が連結されている。底面２の中心部分には水抜孔５を形成し、底面２に固着された補強板３にも水抜孔５と連通し且つほぼ同径の貫通孔６を形成し、各孔５、６よりも２０〜２５％大きな外径を有したシリコンホース４の一端を水抜孔５及び貫通孔６内に弾力を利用して圧入して、強固に各孔５、６の内周壁に固定されている。底面２に補強板３を備えることで、シリコンホース４の圧入部分を長くすることが可能となり、シリコンホース４の引き抜きを困難にし且つ水漏れを確実に防ぐことができる。各孔５、６内に圧入したシリコンホース４の先端部分は、花器１内の水が完全に排水され、全て新しい水と交換可能なように底面２と面一になっている。花器１内に水を収容している時には、シリコンホース４の他端部分は折り曲げクリップ７止めすることで止水し、排水時にはクリップ７を取り外し、バケツ等の受水容器に排水する。花器１の口部が広い場合は、花器１の口部を狭めて生け花が広がることを防ぐための補助具（図示せず）を、花器１内に収容することが望ましい。
【００１４】
図２（イ）（ロ）（ハ）は、本発明の花器１に使用する飾り台８を示した斜視図であり、図３（イ）（ロ）（ハ）は、図２（イ）（ロ）（ハ）の飾り台８に花器１を載置した状態を示す断面図である。飾り台８は花器１を載置し且つ安定に支持するための天板９と、天板９の四隅に略くの字状の支持脚１０を備えた御膳台型の形態をしている。天板９には、花器１の底面２に連結されたシリコンホース４を天板９と支持脚１０によって囲まれた空間部１１に導き且つ花器１を安定に支持するためのくり抜き部１２が形成されている。図２（イ）及び図３（イ）は、くり抜き部１２をシリコンホース４のみが貫通する大きさに形成した飾り台８であり、シリコンホース４をくり抜き部１２に通し空間部１１を介して飾り台８外に導き、花器１の底面２を天板９の上面に載置して花器１を支持している状態を示すものである。図２（ロ）及び図３（ロ）は、くり抜き部１２を花器１の底面２の下方に突出した部分が嵌り込む大きさに形成した飾り台であり、花器１の下部の一部をくり抜き部１２の周縁に係止させて、花器１を安定に支持している状態を示すものである。図２（ハ）及び図３（ハ）は、天板９に略半球状の窪み部１３を形成し、その中心部に水抜孔５とほぼ同径のくり抜き部１２を形成した飾り台８であり、このようにすることで、花器１に水平な底面２を形成する必要がなく、花器１の形状を球状のままでも飾り台８に安定に載置することが可能であり、しかも、くり抜き部１２にシリコンホース４を圧入することで、くり抜き部１２が補強板３の代わりとなり、花器１の底部に補強板３を備える必要もなく低コスト化を図ることができる。
【００１５】
図４（イ）（ロ）は、図３（ロ）の花器１の形態の変形例であり、花器１を球状の花瓶型から上方に向かって末広がり状に開口した水盤型に変えたものである。図４（ロ）は、花器１の底面２に補強板３を固着せずに底面２にシリコンホース４を連結しているもので、シリコンホース４を水抜孔５内に弾力を利用して圧入して花器１と連結するのではなく、水抜孔５の内周壁にタケノコネジが形成された下端部分が花器１の底部から突出するプラスチック製の筒状取付部材１４を固着し、花器１の底部から突出した筒状取付部材１４の下端部分の外周をシリコンホース４内に嵌め込み、強固にシリコンホース４と固定し花器１とシリコンホース４を連結している。水抜孔５の内周壁に固着した筒状取付部材１４の上端は、花器１内の水を完全に排水可能なように、花器１の底面２と面一になっている。花器１の形態を水盤型にした場合は、底面２に水抜孔５を塞がないように剣山（図示せず）を載置することが望ましく、また、水盤型の花器１の口部を狭める補助具（図示せず）を水盤型の花器１内に収容することで、水盤型の花器１を花瓶型の花器１として使用することが可能であるとともに、その際に生け花が広がることを防ぐこともできる。
【００１６】
図５は、図３（イ）の花器１の形態の変形例であり、花器１を球状の花瓶型から円筒状の花瓶型に変えたものであり、花器１の底面２には、糸底状の脚部１５が形成されており、脚部１５が飾り台８の上に載置されている。花器１の底面２に形成された水抜孔５内に弾力を利用してシリコンホース４の一端を圧入してあるが、底面２を厚めに形成してあるため、補強板３を必要とせずにシリコンホース４を水抜孔５の内周壁に強固に固定できている。シリコンホース４の他端部分は、花器１の糸底状の脚部１５内から、飾り台８の天板９に形成されたくり抜き部１２を貫通し、空間部１１を介して飾り台８外へと導かれている。花器１は、花瓶にも水盤にも使用することが可能であり、花瓶として使用する場合は、口部を狭くし生け花が広がることを防ぐために、口部周縁に補助リング（図示せず）を載置することが望ましく、また、水盤として使用する場合には、底面２に水抜孔５を塞がないように剣山（図示せず）を載置するこことが望ましい。
【００１７】
【発明の効果】
本発明のうち請求項１記載の発明によれば、花器に花器内の水を排水可能なホースを連結させることによって、生け花を全く動かすことなく、生け花の形をそのまま維持して見栄えのいい状態を保つことができ、しかも花器の移動を要せずホースの先端部分から受水容器に排水することができるので、花器内の水交換を頗る容易に行うことができる。したがって、花器内の水を常に清潔な状態に保ち、生け花の生き生きした状態を長期間にわたって保ち続けることができる。
【００１８】
本発明のうち請求項２記載の発明によれば、飾り台の上に花器を載置することで、生け花の華やかさと相まって、見栄えが非常に豪華になるとともに、花器の載置状態が安定に保持されるため水交換作業が容易に行えることはもちろんのこと、ホースを花器の底位置に連結させることが可能となり、生け花及び花器を動かすことなく花器内の古い水を容易且つわずかな汚水、汚物さえも残すことなく完全に排水することができるため、生け花のみずみずしい状態を長期間にわたってより一層容易且つ確実に保つことができる。
【００１９】
本発明のうち請求項３記載の発明によれば、花器をより一層安定に飾り台に載置することが可能であるため、花器の不動状態を確実に保持することができるため、水交換作業中などにおいて、誤って花器を動かしてしまい、見栄えなどを損なうことを確実に防ぐことができる。
【図面の簡単な説明】
【図１】（イ）（ロ）本発明の花器を示す斜視図及び断面図である。
【図２】（イ）（ロ）（ハ）本発明の飾り台を示す斜視図である。
【図３】（イ）（ロ）（ハ）本発明の飾り台に花器を載置した状態を示す断面図である。
【図４】（イ）（ロ）本発明の飾り台に花器を載置した状態を示す断面図である。
【図５】本発明の飾り台に花器を載置した状態を示す断面図である。
【符号の説明】
１  花器
４  シリコンホース（ホース）
７  クリップ（栓部材）
８  飾り台
９  天板
１０  支持脚
１１  空間部
１２  くり抜き部
【図１】
2004154343.tif 000003
【図２】
2004154343.tif 000004
【図３】
2004154343.tif 000005
【図４】
2004154343.tif 000006
【図５】
2004154343.tif 000007